(57)【要約】【課題】積重ね能力向上のために補強板を改良する。【解決手段】パレット容器用のパレット状台座の隅脚および中間脚と脚枠とで支えられる床板のための補強板（２５）が、輸送および貯蔵目的のために複数の補強板を積重ねるための積重ね補助手段を備えている。【選択図】図３
2004182346.tif 000002
【特許請求の範囲】
【請求項１】
注入口と排出口と容器後壁から容器前壁の排出口に向かって低くなる流し溝を備えた流し床としての底板とを有しかつ該底板に適合された台座床板上に前記底板によって直立するプラスチック製内部容器と、板金外殻または格子外殻として構成されて前記台座に固着される金属製外殻とを備えたパレット容器用のパレット状台座の隅脚および中間脚と脚枠とによって支えられる台座床板のためのブリッジ状補強板であって、該補強板の両外端にそれぞれ前記中間脚が一体に形成されており、支え梁の態様で前記台座の床板の下方において前記内部容器の流し溝を横切って固定される補強板の中間帯状部が、斜め外側を向いた結合帯状部を介して、前記台座床板の外縁を支えるための前記中間脚に連接しており、前記中間脚を備えた補強板が、成形部品として形成されるものにおいて、
前記補強板（２５）が、輸送および貯蔵目的のために複数の補強板を積重ねるための積重ね補助手段を備えていることを特徴とする補強板。
【請求項２】
前記補強板の中間脚（２３、２４）が、垂線に対して或る角度（α）だけ僅かに外方に傾いており、前記中間脚（２３、２４）の内側（２８）に、少なくとも一個の支持突起（２９）が、積重ねられた補強板（２５）の中間脚（２３、２４）のための支持手段として配置されていることを特徴とする、請求項１記載の補強板。
【請求項３】
前記支持突起（２９）が、前記中間脚（２３、２４）から張出し成形されていることを特徴とする、請求項２記載の補強板。
【発明の詳細な説明】
【技術分野】
【０００１】
本発明は、注入口と排出口と容器後壁から容器前壁の排出口に向かって低くなる流し溝を備えた流し床としての底板とを有しかつ該底板に適合された台座床板上に前記底板によって直立するプラスチック製内部容器と、板金外殻または格子外殻として構成されて前記台座に固着される金属製外殻とを備えたパレット容器用のパレット状台座の隅脚および中間脚と脚枠とによって支えられる台座床板のためのブリッジ状補強板であって、該補強板の両外端にそれぞれ前記中間脚が一体に形成されており、支え梁の態様で前記台座の床板の下方において前記内部容器の流し溝を横切って固定される補強板の中間帯状部が、斜め外側を向いた結合帯状部を介して、前記台座床板の外縁を支えるための前記中間脚に連接しており、前記中間脚を備えた補強板が、成形部品として形成されるものに関する。
【背景技術】
【０００２】
パレット容器用に好ましいと指定された台座の輸送と最終組立前の中間貯蔵とのための特許文献１により公知のこの種の補強板は、その幾何学的造形ゆえに、場所を取らない積み重ねが不可能である。
【特許文献１】欧州特許第０ ６７３ ８４６明細書
【発明の開示】
【発明が解決しようとする課題】
【０００３】
本発明の課題は、前述した補強板を積重ね適合性向上のために改良することである。
【課題を解決するための手段】
【０００４】
本発明によれば、請求項１の特徴を有する補強板によって上記課題が解決される。
【０００５】
従属請求項は、本発明の望ましい諸構成を内容としている。
【発明の効果】
【０００６】
幾何学的造形と、成形部品として形成された本発明に係る補強板の脚部の内側に形成された支持突起は、特にパレット容器用のパレット状台座の輸送と最終組立用に補強板積重ね体の中間貯蔵と簡単な取出しとのために若干数の補強板の場所を取らない積重ねを可能にする。
【０００７】
以下、図面に基づいて本発明を説明する。
【発明を実施するための最良の形態】
【０００８】
使い捨て容器および通い容器として使用される図１の液体輸送兼貯蔵容器１は、蓋４で閉鎖可能な注入口３を天板５に、取出し・洗浄コック８を接続するための排出口６を底板７にそれぞれ備えたプラスチック製の交換可能な直方体状内部容器２と、交差する金属製の横桟１０および縦桟１１からなる格子状外殻９と、EURONORM（欧州鉄鋼共同体規格）に則った長さ寸法および幅寸法を有するパレット状台座１２とを主要部材としている。
【０００９】
上記内部容器２の底板７は、容器の後壁１３から容器の前壁１４の排出口６に向かって低くなる流し溝１５を備えた流し床となっており、内部容器２は、この底板７によってこれに適合された台座１２の床１６上に直立している。
【００１０】
フォークリフト、ラック操作装置および類似の輸送手段で操作するように構成さられた図２の台座１２の桶状床板１６は、４個の隅脚１７〜２０と、１個の後側中間脚２１と、輸送兼貯蔵容器１の取出し・洗浄コック８の下方に配置されて床板１６から張出した１個の前側中間脚２２と、２個の側部中間脚２３、２４との上に設けられており、側部中間脚２３、２４は、床板１６のためのブリッジ状補強板２５の両外端部によって形成されている。
【００１１】
台座１２の隅脚１７〜２０および中間脚２１〜２４は脚枠２６に溶接されている。
【００１２】
内部容器２の流し溝１５を横切って支え梁の態様で台座１２の床板１６の下方に固定された、補強板２５の中間帯状部２５ａは、斜め外方を向いた結合帯状部２５ｂ、２５ｃを介して、台座床板１６の外縁２７を支える中間脚２３、２４に連接している。補強板２５の中間脚２３、２４は、垂線に対して或る角度α（図３）だけ僅かに外方に傾いており、中間脚２３、２４の内面２８には、積重ねられる補強板２５の中間脚２３、２４用の支持台として支持突起２９が一体に形成されている（図５および図６）。
【００１３】
台座１２が組立てられた状態にある場合、輸送兼貯蔵容器１を積重ねる際に、隅脚１７〜２０、後側中間脚２１、および補強板２５の側部中間脚２３、２４は、積重ねられた容器１の台座１２の隅脚１７〜２０および中間脚２１〜２４が下に重ねられる容器１の格子外殻９の上枠３０上に載るように、脚枠２６を越えて外方に張り出している。（図３）。
【００１４】
台座１２の床板１６は、輸送兼貯蔵容器１の格子外殻として構成される外殻９とともに、隅脚１７〜２０および中間脚２１〜２４上にしっかりとねじ止めされている。
【００１５】
中間脚２３、２４を備えた補強板２５は、成形部品として成形され、プレス・引抜き部品として製造される。
【図面の簡単な説明】
【００１６】
【図１】パレット状台座を有する液体輸送兼貯蔵容器の斜視図である。
【図２】台座の分解組立図である。
【図３】台座の補強板の側面図である。
【図４】図３のIV‐IV線に沿った補強板の横断面図である。
【図５】２つの積重ねられた補強板の部分横断面図である。
【図６】図５の積重ねられた板の部分縦断面図である。
【符号の説明】
【００１７】
１    輸送兼貯蔵容器
２    内部容器
３    注入口
４    蓋
５    天板
６    排出口
７    底板
８    取出し・洗浄コック
９    外殻
１２    台座
１６    床板
２５    補強板
【図１】
2004182346.tif 000003
【図２】
2004182346.tif 000004
【図３】
2004182346.tif 000005
【図４】
2004182346.tif 000006
【図５】
2004182346.tif 000007
【図６】
2004182346.tif 000008